(57)【要約】【課題】ネットワーク負荷を軽減しつつ受信側でコンテンツの選択を行うこと。【解決手段】複数の音声コンテンツ１１０0〜１１０3の中から受信者が受信を所望する音声コンテンツを選択するための初期設定コマンドパケット１６０および音声選択コマンドパケット１７０を送信する受信装置１３０と、初期設定コマンドパケット１６０および音声選択コマンドパケット１７０に基づいて、複数の音声コンテンツ１１０0〜１１０3の中から、受信者が所望する音声コンテンツ１１０0を選択し、該音声コンテンツ１１０0を音声コンテンツパケット１８０として受信装置１３０へ送信する送信装置１００とを備えている。【選択図】        図１
2006074174.tif 000002
【特許請求の範囲】
【請求項１】
複数のコンテンツの中から受信者が受信を所望するコンテンツを選択するためのコンテンツ選択コマンドを送信する受信装置と、
前記コンテンツ選択コマンドに基づいて、前記複数のコンテンツの中から、前記受信者が所望する前記コンテンツを選択し、該コンテンツを前記受信装置へ送信する送信装置と、を備え、
前記受信装置は、前記送信装置から送信された前記コンテンツを受信し、再生すること、
を特徴とするコンテンツ配信システム。
【請求項２】
前記送信装置は、前記選択されたコンテンツのみを送信する第１機能と、前記複数のコンテンツを多重化する第２機能とを備え、前記受信装置は、前記第１機能または前記第２機能のいずれか一つを選択するための機能選択コマンドを送信し、前記送信装置は、前記機能選択コマンドに基づいて、前記第１機能または第２機能のうちいずれか一つを有効とすることを特徴とする請求項１に記載のコンテンツ配信システム。
【請求項３】
前記複数のコンテンツは、会議における各発言者の音声に対応していることを特徴とする請求項１または２に記載のコンテンツ配信システム。
【請求項４】
前記コンテンツ選択コマンドは、言語を選択するための情報を含み、前記送信装置は、発言者の変化に応じて、前記コンテンツ選択コマンドに基づく言語に対応するコンテンツを切り換え、前記受信装置へ送信することを特徴とする請求項３に記載のコンテンツ配信システム。
【請求項５】
複数のコンテンツの中から受信者が受信を所望するコンテンツを選択するためのコンテンツ選択コマンドを送信装置へ送信するコマンド送信手段と、
前記コンテンツ選択コマンドに基づいて、前記複数のコンテンツの中から、前記受信者が所望する前記コンテンツを選択し、該コンテンツを送信する送信装置から送信された前記コンテンツを受信し、再生する受信再生手段と、
を備えたことを特徴とする受信装置。
【請求項６】
前記送信装置は、前記選択されたコンテンツのみを送信する第１機能と、前記複数のコンテンツを多重化する第２機能とを備え、前記コマンド送信手段は、前記第１機能または前記第２機能のいずれか一つを選択するための機能選択コマンドを送信し、前記送信装置は、前記機能選択コマンドに基づいて、前記第１機能または第２機能のうちいずれか一つを有効とすることを特徴とする請求項５に記載の受信装置。
【請求項７】
前記複数のコンテンツは、会議における各発言者の音声に対応していることを特徴とする請求項５または６に記載の受信装置。
【請求項８】
前記コンテンツ選択コマンドは、言語を選択するための情報を含み、前記送信装置は、発言者の変化に応じて、前記コンテンツ選択コマンドに基づく言語に対応するコンテンツを切り換え、送信することを特徴とする請求項７に記載の受信装置。
【請求項９】
複数のコンテンツを保持するコンテンツ保持手段と、
前記複数のコンテンツの中から受信者が受信を所望するコンテンツを選択するためのコンテンツ選択コマンドを送信する受信装置から送信された該コンテンツ選択コマンドを受信し、前記複数のコンテンツの中から、前記受信者が所望する前記コンテンツを選択し、該コンテンツを前記受信装置へ送信する送信制御手段と、
を備えたことを特徴とする送信装置。
【請求項１０】
前記送信制御手段は、前記選択されたコンテンツのみを送信する第１機能と、前記複数のコンテンツを多重化する第２機能とを備え、前記受信装置は、前記第１機能または前記第２機能のいずれか一つを選択するための機能選択コマンドを送信し、前記送信装置は、前記機能選択コマンドに基づいて、前記第１機能または第２機能のうちいずれか一つを有効とすることを特徴とする請求項９に記載の送信装置。
【請求項１１】
前記複数のコンテンツは、会議における各発言者の音声に対応していることを特徴とする請求項９または１０に記載の送信装置。
【請求項１２】
前記コンテンツ選択コマンドは、言語を選択するための情報を含み、前記送信制御手段は、発言者の変化に応じて、前記コンテンツ選択コマンドに基づく言語に対応するコンテンツを切り換え、前記受信装置へ送信することを特徴とする請求項１１に記載の送信装置。
【請求項１３】
複数のコンテンツの中から受信者が受信を所望するコンテンツを選択するためのコンテンツ選択コマンドを送信装置へ送信するコマンド送信工程と、
前記コンテンツ選択コマンドに基づいて、前記複数のコンテンツの中から、前記受信者が所望する前記コンテンツを選択し、該コンテンツを送信する送信装置から送信された前記コンテンツを受信し、再生する受信再生工程と、
を含むことを特徴とする受信方法。
【請求項１４】
複数のコンテンツを保持するコンテンツ保持工程と、
前記複数のコンテンツの中から受信者が受信を所望するコンテンツを選択するためのコンテンツ選択コマンドを送信する受信装置から送信された該コンテンツ選択コマンドを受信し、前記複数のコンテンツの中から、前記受信者が所望する前記コンテンツを選択し、該コンテンツを前記受信装置へ送信する送信制御工程と、
を含むことを特徴とする送信方法。
【請求項１５】
コンピュータに、
複数のコンテンツの中から受信者が受信を所望するコンテンツを選択するためのコンテンツ選択コマンドを送信装置へ送信するコマンド送信工程と、
前記コンテンツ選択コマンドに基づいて、前記複数のコンテンツの中から、前記受信者が所望する前記コンテンツを選択し、該コンテンツを送信する送信装置から送信された前記コンテンツを受信し、再生する受信再生工程と、
を実行させるための受信プログラム。
【請求項１６】
コンピュータに、
複数のコンテンツを保持するコンテンツ保持工程と、
前記複数のコンテンツの中から受信者が受信を所望するコンテンツを選択するためのコンテンツ選択コマンドを送信する受信装置から送信された該コンテンツ選択コマンドを受信し、前記複数のコンテンツの中から、前記受信者が所望する前記コンテンツを選択し、該コンテンツを前記受信装置へ送信する送信制御工程と、
を実行させるための送信プログラム。
【発明の詳細な説明】
【技術分野】
【０００１】
本発明は、コンテンツ配信システム、受信装置、送信装置、受信方法、送信方法、受信プログラムおよび送信プログラムに関するものであり、特に、ネットワーク負荷を軽減しつつ受信側でコンテンツの選択を行うことができるコンテンツ配信システム、受信装置、送信装置、受信方法、送信方法、受信プログラムおよび送信プログラムに関するものである。
【背景技術】
【０００２】
図１６は、従来のコンテンツ配信システムの構成例１を示すブロック図である。同図に示したコンテンツ配信システムは、送信装置１０、インターネット３０および受信装置４０を備えている。
【０００３】
このコンテンツ配信システムは、例えば、電子会議システムに適用され、複数の発言者の音声に対応する音声コンテンツ２０Ａ、音声コンテンツ２０Ｂ、音声コンテンツ２０Ｃのうち、送信者により選択されたいずれか一つの音声コンテンツを、送信装置１０から受信装置４０へ配信するためのシステムである。
【０００４】
送信装置１０は、選択部１１、切換部１２および送信部１３を備えている。選択部１１は、音声コンテンツ２０Ａ、音声コンテンツ２０Ｂ、音声コンテンツ２０Ｃのうち、受信装置４０へ配信すべき音声コンテンツを選択する場合に送信者により操作される。切換部１２は、選択部１１での選択に基づいて、音声コンテンツ２０Ａ、音声コンテンツ２０Ｂ、音声コンテンツ２０Ｃのうちいずれか一つの音声コンテンツを切り換え制御し、送信部１３へ出力する。送信部１３は、切換部１２から出力された音声コンテンツをインターネット３０を介して受信装置４０へ送信する。
【０００５】
一方、受信装置４０は、受信部４１およびスピーカ４２を備えている。受信部４１は、送信装置１０から送信された音声コンテンツをインターネット３０を介して受信し、スピーカ４２へ出力する。スピーカ４２は、受信された音声コンテンツを音声として再生する。
【０００６】
上記構成において、送信者が選択部１１を操作することにより、音声コンテンツ２０Ａを選択すると、切換部１２は、音声コンテンツ２０Ａを送信部１３へ出力する。これにより、送信部１３から音声コンテンツ２０Ａが送信され、音声コンテンツ２０Ａは、インターネット３０を介して、受信装置４０の受信部４１に受信された後、スピーカ４２で音声として再生される。
【０００７】
ところで、図１６に示したコンテンツ配信システムでは、送信側（送信装置１０、送信者）でしか、配信すべき音声コンテンツの選択を行えないため、受信側（受信装置４０、受信者）に音声コンテンツの選択権が無いというデメリットがあった。
【０００８】
そこで、従来では、受信側で音声コンテンツを選択することができるコンテンツ配信システムが提案されている（特許文献１参照）。以下では、かかるコンテンツ配信システムについて、図１７を参照して説明する。
【０００９】
図１７は、従来のコンテンツ配信システムの構成例２を示すブロック図である。同図に示したコンテンツ配信システムは、送信装置５０、インターネット７０および受信装置８０を備えている。
【００１０】
このコンテンツ配信システムは、例えば、電子会議システムに適用され、複数の発言者の音声に対応する音声コンテンツ６０Ａ、音声コンテンツ６０Ｂ、音声コンテンツ６０Ｃを多重化して送信装置５０から受信装置８０へ配信し、受信者により選択された音声コンテンツを再生するシステムである。
【００１１】
送信装置５０は、多重部５１および送信部５２を備えている。多重部５１は、音声コンテンツ６０Ａ、音声コンテンツ６０Ｂおよび音声コンテンツ６０Ｃを多重化し、多重化音声コンテンツ６０Ｍを生成する。送信部５２は、多重部５１で生成された多重化音声コンテンツ６０Ｍをインターネット７０を介して受信装置８０へ送信する。
【００１２】
一方、受信装置８０は、分割部８１、リモートコントローラ８２、切換部８３、出力部８４およびスピーカ８５を備えている。分割部８１は、送信装置５０から送信された多重化音声コンテンツ６０Ｍをインターネット７０を介して受信した後、多重化音声コンテンツ６０Ｍを音声コンテンツ６０Ａａ、音声コンテンツ６０Ｂｂおよび音声コンテンツ６０Ｃｃに分割する。これらの音声コンテンツ６０Ａａ、音声コンテンツ６０Ｂｂおよび音声コンテンツ６０Ｃｃは、音声コンテンツ６０Ａ、音声コンテンツ６０Ｂおよび音声コンテンツ６０Ｃに対応している。
【００１３】
リモートコントローラ８２は、分割された音声コンテンツ６０Ａａ、音声コンテンツ６０Ｂｂ、音声コンテンツ６０Ｃｃのうち、再生すべき音声コンテンツを選択する場合に受信者により操作される。切換部８３は、リモートコントローラ８２での選択に基づいて、音声コンテンツ６０Ａａ、音声コンテンツ６０Ｂｂ、音声コンテンツ６０Ｃｃのうちいずれか一つの音声コンテンツを切り換え制御し、出力部８４へ出力する。出力部８４は、切換部８３から出力された音声コンテンツをスピーカ８５へ出力する。スピーカ８５は、入力された音声コンテンツを音声として再生する。
【００１４】
上記構成において、送信装置５０の多重部５１は、音声コンテンツ６０Ａ、音声コンテンツ６０Ｂおよび音声コンテンツ６０Ｃを多重化し、多重化音声コンテンツ６０Ｍを生成した後、送信部５２へ出力する。これにより、送信部５２は、多重化音声コンテンツ６０Ｍをインターネット７０を介して、送信する。
【００１５】
そして、多重化音声コンテンツ６０Ｍは、受信装置８０の分割部８１により受信された後、音声コンテンツ６０Ａａ、音声コンテンツ６０Ｂｂおよび音声コンテンツ６０Ｃｃに分割される。
【００１６】
ここで、受信者が、リモートコントローラ８２を操作することにより、音声コンテンツ６０Ａａを選択すると、切換部８３は、音声コンテンツ６０Ａａを出力部８４へ出力する。これにより、音声コンテンツ６０Ａａは、出力部８４を経由してスピーカ８５に入力され、スピーカ８５で音声として再生される。
【００１７】
【特許文献１】特開平９−１４９１３４号公報
【発明の開示】
【発明が解決しようとする課題】
【００１８】
ところで、従来のコンテンツ配信システム（図１７参照）においては、音声コンテンツ６０Ａ、音声コンテンツ６０Ｂおよび音声コンテンツ６０Ｃが多重化された多重化音声コンテンツ６０Ｍを受信装置８０へ送信し、受信装置８０で多重化音声コンテンツ６０Ｍを分割した後、音声コンテンツを選択する構成例とされているため、構成例１（図１６参照）に比して、インターネット７０を伝送する多重化音声コンテンツ６０Ｍのデータ量が多くなる。
【００１９】
従って、従来のコンテンツ配信システム（図１７参照）においては、多重化音声コンテンツ６０Ｍのデータ量の増大に伴って、インターネット７０における伝送帯域が多くとられるため、ネットワーク負荷が大きくなるという問題があった。
【００２０】
本発明は、上記に鑑みてなされたものであって、ネットワーク負荷を軽減しつつ受信側でコンテンツの選択を行うことができるコンテンツ配信システム、受信装置、送信装置、受信方法、送信方法、受信プログラムおよび送信プログラムを提供することを目的とする。
【課題を解決するための手段】
【００２１】
上述した課題を解決し、目的を達成するために、請求項１に記載の発明は、複数のコンテンツの中から受信者が受信を所望するコンテンツを選択するためのコンテンツ選択コマンドを送信する受信装置と、前記コンテンツ選択コマンドに基づいて、前記複数のコンテンツの中から、前記受信者が所望する前記コンテンツを選択し、該コンテンツを前記受信装置へ送信する送信装置と、を備え、前記受信装置は、前記送信装置から送信された前記コンテンツを受信し、再生すること、を特徴とする。
【００２２】
また、請求項５に記載の発明は、複数のコンテンツの中から受信者が受信を所望するコンテンツを選択するためのコンテンツ選択コマンドを送信装置へ送信するコマンド送信手段と、前記コンテンツ選択コマンドに基づいて、前記複数のコンテンツの中から、前記受信者が所望する前記コンテンツを選択し、該コンテンツを送信する送信装置から送信された前記コンテンツを受信し、再生する受信再生手段と、を備えたことを特徴とする。
【００２３】
また、請求項９に記載の発明は、複数のコンテンツを保持するコンテンツ保持手段と、前記複数のコンテンツの中から受信者が受信を所望するコンテンツを選択するためのコンテンツ選択コマンドを送信する受信装置から送信された該コンテンツ選択コマンドを受信し、前記複数のコンテンツの中から、前記受信者が所望する前記コンテンツを選択し、該コンテンツを前記受信装置へ送信する送信制御手段と、を備えたことを特徴とする。
【００２４】
また、請求項１３に記載の発明は、複数のコンテンツの中から受信者が受信を所望するコンテンツを選択するためのコンテンツ選択コマンドを送信装置へ送信するコマンド送信工程と、前記コンテンツ選択コマンドに基づいて、前記複数のコンテンツの中から、前記受信者が所望する前記コンテンツを選択し、該コンテンツを送信する送信装置から送信された前記コンテンツを受信し、再生する受信再生工程と、を含むことを特徴とする。
【００２５】
また、請求項１４に記載の発明は、複数のコンテンツを保持するコンテンツ保持工程と、前記複数のコンテンツの中から受信者が受信を所望するコンテンツを選択するためのコンテンツ選択コマンドを送信する受信装置から送信された該コンテンツ選択コマンドを受信し、前記複数のコンテンツの中から、前記受信者が所望する前記コンテンツを選択し、該コンテンツを前記受信装置へ送信する送信制御工程と、を含むことを特徴とする。
【００２６】
また、請求項１５に記載の発明は、コンピュータに、複数のコンテンツの中から受信者が受信を所望するコンテンツを選択するためのコンテンツ選択コマンドを送信装置へ送信するコマンド送信工程と、前記コンテンツ選択コマンドに基づいて、前記複数のコンテンツの中から、前記受信者が所望する前記コンテンツを選択し、該コンテンツを送信する送信装置から送信された前記コンテンツを受信し、再生する受信再生工程と、を実行させるための受信プログラムである。
【００２７】
また、請求項１６に記載の発明は、コンピュータに、複数のコンテンツを保持するコンテンツ保持工程と、前記複数のコンテンツの中から受信者が受信を所望するコンテンツを選択するためのコンテンツ選択コマンドを送信する受信装置から送信された該コンテンツ選択コマンドを受信し、前記複数のコンテンツの中から、前記受信者が所望する前記コンテンツを選択し、該コンテンツを前記受信装置へ送信する送信制御工程と、を実行させるための送信プログラムである。
【発明を実施するための最良の形態】
【００２８】
以下に、本発明にかかるコンテンツ配信システム、受信装置、送信装置、受信方法、送信方法、受信プログラムおよび送信プログラムの実施例を図面に基づいて詳細に説明する。なお、この実施例によりこの発明が限定されるものではない。
【実施例】
【００２９】
図１は、本発明にかかる一実施例によるコンテンツ配信システムの構成を示すブロック図である。
【００３０】
このコンテンツ配信システムは、例えば、電子会議システムに適用され、複数の発言者の音声に対応し、ハードディスク装置等にリアルタイムで保持された音声コンテンツ１１０0、音声コンテンツ１１０1、音声コンテンツ１１０2および音声コンテンツ１１０3のうち、音声コンテンツの受信者（受信装置１３０を操作する者）により選択されたいずれか一つの音声コンテンツを、送信装置１００から受信装置１３０へ配信するという第１の配信機能を備えている。
【００３１】
また、コンテンツ配信システムは、上述した第１の配信機能の他に、音声コンテンツ１１０0、音声コンテンツ１１０1、音声コンテンツ１１０2および音声コンテンツ１１０3を多重化して、多重化音声コンテンツ１１０Ｍを生成し、送信装置１００から受信装置１３０へ配信するという第２の配信機能も備えている。
【００３２】
ここで、音声コンテンツ１１０0は、電子会議における日本人発言者の音声（日本語）に対応している。音声コンテンツ１１０1は、上記日本人発言者の音声を日本語から英語へ同時通訳する日英同時通訳者の音声（英語）に対応している。これらの音声コンテンツ１１０0および音声コンテンツ１１０1は、同一の言語（日本語）ということで同一の音声グループに属している。
【００３３】
また、音声コンテンツ１１０2は、電子会議における米国人発言者の音声（英語）に対応している。音声コンテンツ１１０3は、上記米国人発言者の音声を英語から日本語へ同時通訳する英日同時通訳者の音声（日本語）に対応している。これらの音声コンテンツ１１０2および音声コンテンツ１１０3は、同一の言語（英語）ということで同一の音声グループに属している。
【００３４】
送信装置１００は、受信者の選択に従って、音声コンテンツ１１０0、音声コンテンツ１１０1、音声コンテンツ１１０2および音声コンテンツ１１０3のうちいずれか一つの音声コンテンツを音声コンテンツパケット１８０として送信する機能や、多重化音声コンテンツ１１０Ｍを多重化音声コンテンツパケット１９０として送信する機能を備えている。
【００３５】
この送信装置１００は、制御部１０１、受信部１０２、切換部１０３、多重部１０４および送信部１０５を備えている。制御部１０１は、送信装置１００の各部を制御する。この制御部１０１の動作の詳細については、後述する。受信部１０２は、後述する受信装置１３０の送信部１３３から送信された初期設定コマンドパケット１６０（機能選択コマンドに対応）や音声選択コマンドパケット１７０（コンテンツ選択コマンドに対応）を受信する。
【００３６】
初期設定コマンドパケット１６０は、送信装置１００を初期設定するためのコマンドに関するパケットであり、後述する音声選択コマンド制御モードまたは音声多重モード（図５および図８参照）を送信装置１００に設定するためのパケットである。音声選択コマンドパケット１７０は、受信者により音声コンテンツを選択する場合のコマンドに関するパケットであり、後述する全任意選択モード、言語自動選択モード、言語任意選択モードまたは音声種別選択モード（図６および図８参照）を送信装置１００に設定するためのパケットである。なお、これらの初期設定コマンドパケット１６０および音声選択コマンドパケット１７０の詳細については、後述する。
【００３７】
切換部１０３は、受信者の選択に基づいて、音声コンテンツ１１０0、音声コンテンツ１１０1、音声コンテンツ１１０2、音声コンテンツ１１０3のうちいずれか一つの音声コンテンツを切り換え制御し、送信部１０５へ出力する。
【００３８】
多重部１０４は、音声コンテンツ１１０0、音声コンテンツ１１０1、音声コンテンツ１１０2および音声コンテンツ１１０3を多重化し、多重化音声コンテンツ１１０Ｍを生成する。
【００３９】
送信部１０５は、切換部１０３または多重部１０４から出力された音声コンテンツを音声コンテンツパケット１８０として送信する機能や、多重部１０４から出力された多重化音声コンテンツ１１０Ｍを多重化音声コンテンツパケット１９０として送信する機能を備えている。
【００４０】
一方、受信装置１３０は、送信装置１００に対して、配信すべき音声コンテンツを選択しリクエストする機能と、送信装置１００から送信される音声コンテンツまたは多重化音声コンテンツ１１０Ｍを受信し、再生する機能とを備えている。
【００４１】
この受信装置１３０は、制御部１３１、操作部１３２、送信部１３３、受信部１３４、スピーカ１３５、音声グループ情報データベース１４０および受信者選択状態情報データベース１５０を備えている。制御部１３１は、受信装置１３０の各部を制御する。この制御部１３１の動作の詳細については、後述する。操作部１３２は、受信者により操作され、後述する各種モードの選択や、音声コンテンツの選択等に用いられる。
【００４２】
送信部１３３は、初期設定コマンドパケット１６０や音声選択コマンドパケット１７０を送信する。受信部１３４は、送信装置１００から送信された音声コンテンツまたは多重化音声コンテンツ１１０Ｍをインターネット１２０を介して受信する。スピーカ１３５は、音声コンテンツを音声として再生する。
【００４３】
音声グループ情報データベース１４０は、音声グループ情報を格納するデータベースである。音声グループ情報は、送信装置１００で配信可能な複数の音声コンテンツ（同図では、音声コンテンツ１１０0、音声コンテンツ１１０1、音声コンテンツ１１０2および音声コンテンツ１１０3）のグループ化に関する情報である。
【００４４】
前述したように、一実施例においては、音声コンテンツ１１０0および音声コンテンツ１１０1からなる音声グループと、音声コンテンツ１１０2および音声コンテンツ１１０3からなる音声グループという二つの音声グループに分けられる。
【００４５】
具体的には、音声グループ情報データベース１４０は、図２に示したように、「装置ＩＤ番号」、「音声グループ数」、「音声グループ番号」、「音声グループ名称」、「音声サブ数」、「音声サブ番号」、「音声サブ名称」、「音声コンテンツ番号」および「音声言語コード」からなる音声グループ情報を格納している。
【００４６】
「装置ＩＤ番号」は、送信装置１００を識別するための識別子である。「音声グループ数」は、音声グループの数（＝２）である。「音声グループ番号」は、当該音声グループを識別するための番号である。「音声グループ名称」は、当該音声グループの名称である。
【００４７】
「音声サブ数」は、当該音声グループを構成する音声コンテンツの数（音声サブ数）である。「音声サブ番号」は、当該音声グループを構成する音声コンテンツの通し番号である。「音声サブ名称」は、音声サブ番号に対応する音声コンテンツの名称である。
【００４８】
「音声コンテンツ番号」は、当該音声グループを構成する各音声コンテンツを識別するための番号である。ここで、音声コンテンツ１１０0に対応する音声コンテンツ番号は、０である。音声コンテンツ１１０1に対応する音声コンテンツ番号は、１である。音声コンテンツ１１０2に対応する音声コンテンツ番号は、２である。音声コンテンツ１１０3に対応する音声コンテンツ番号は、３である。
【００４９】
「音声言語コード」は、当該音声コンテンツの言語を表すコードである。例えば、日本語の場合、音声言語コードは、ＪＰである。また、英語の場合、音声言語コードは、ＥＮである。
【００５０】
受信者選択状態情報データベース１５０は、受信者による音声コンテンツの選択状態を表す受信者選択状態情報を格納するデータベースである。具体的には、図３に示したように、受信者選択状態情報データベース１５０は、「選択音声グループ番号」、「選択音声サブ番号」、「選択音声コンテンツ番号」および「選択音声言語コード」からなる受信者選択状態情報を格納している。
【００５１】
「選択音声グループ番号」は、受信者により選択された音声グループ番号である。「選択音声サブ番号」は、後述する音声種別選択モード時に参照／設定される音声サブ番号である。「選択音声コンテンツ番号」は、後述する全任意選択モード時に参照／設定される音声コンテンツ番号である。「選択音声言語コード」は、後述する言語自動選択モードまたは言語任意選択モード時に参照／設定される音声言語コードである。なお、受信者選択状態情報データベース１５０を設定する際は、音声グループ情報データベース１４０を参照し、各パラメータ全てが更新される。
【００５２】
図４は、図１に示した初期設定コマンドパケット１６０に含まれるパラメータを説明する図である。同図に示したように、初期設定コマンドパケット１６０には、「パケット種別」、「装置ＩＤ番号」、「コマンド種別」および「制御モード」というパラメータが含まれている。「パケット種別」は、初期設定コマンドパケット１６０または音声選択コマンドパケット１７０の種別であり、制御コマンドとされている。「装置ＩＤ番号」は、受信装置１３０を識別するための番号であるが、ＦＦＦＦ（全装置向け）とされている。
【００５３】
「コマンド種別」は、送信装置１００に対するコマンドの種別を表し、初期設定コマンドとされている。「制御モード」は、送信装置１００における音声コンテンツの配信制御に関するモードであり、音声多重モードまたは音声選択コマンド制御モードとされている。音声多重モードは、切換部１０３および多重部１０４（図１参照）のうち、多重部１０４を起動して、多重化音声コンテンツ１１０Ｍを多重化音声コンテンツパケット１９０として受信装置１３０へ配信するための制御モードである。
【００５４】
この音声多重モードでは、図５に示したように、送信（送信装置１００）と受信（受信装置１３０）が１：Ｎの場合の使用が推奨され、受信側（受信装置１３０）で各音声コンテンツを選択可能である。
【００５５】
一方、音声選択コマンド制御モードは、切換部１０３および多重部１０４（図１参照）のうち、切換部１０３を起動して、音声コンテンツ１１０0、音声コンテンツ１１０1、音声コンテンツ１１０2、音声コンテンツ１１０3のうち、音声選択コマンドパケット１７０に応じて選択された音声コンテンツを音声コンテンツパケット１８０として配信するための制御モードである。
【００５６】
この音声選択コマンド制御モードでは、図５に示したように、送信（送信装置１００）と受信（受信装置１３０）が１：１の場合の使用が推奨され、音声選択コマンドパケット１７０により、受信側（受信装置１３０）で、配信される音声コンテンツを選択可能である。ただし、１：Ｎの場合においても、受信側が全て同じ送信側の音声コンテンツを再生する状況（社内朝礼や講習等）では、使用できる。
【００５７】
また、音声選択コマンド制御モードでは、一つの音声コンテンツに対応する音声コンテンツパケット１８０しか送信されないため、インターネット１２０における伝送帯域を節約することができる。
【００５８】
図６は、図１に示した音声選択コマンドパケット１７０に含まれるパラメータを説明する図である。同図に示したように、音声選択コマンドパケット１７０には、「パケット種別」、「装置ＩＤ番号」、「コマンド種別」、「選択モード」および「音声コンテンツ番号」というパラメータが含まれている。「パケット種別」は、音声選択コマンドパケット１７０または初期設定コマンドパケット１６０の種別であり、制御コマンドとされている。「装置ＩＤ番号」は、受信装置１３０を識別するための番号であるが、０００１とされている。
【００５９】
「コマンド種別」は、送信装置１００に対するコマンドの種別を表し、音声選択コマンドとされている。「選択モード」は、送信装置１００における音声コンテンツの選択に関するモードであり、全任意選択モード、言語自動選択モード、言語任意選択モードまたは音声種別選択モード（図７参照）とされている。「音声コンテンツ番号」は、受信者により選択された配信すべき音声コンテンツを識別するための番号である。
【００６０】
図７は、図６に示した全任意選択モード、言語自動選択モードおよび言語任意選択モード、言語種別選択モードを説明する図である。全任意選択モードは、多重化音声コンテンツまたは音声コンテンツを任意に選択するためのモードである。
【００６１】
言語自動選択モードは、例えば、同時通訳を行う国際会議で使用されるモードであり、受信者により選択された音声言語コードに対応する音声コンテンツを選択するためのモードである。
【００６２】
また、言語自動選択モードは、発言者が変更された場合、すなわち、例えば、選択された音声言語コードがＪＰ（日本語）であって、発言者が日本人から米国人に変更された場合に、同時通訳者（英語から日本語への通訳者）に対応する音声コンテンツに自動的に切り換えるためのモードである。
【００６３】
言語任意選択モードは、言語自動選択モードと同様にして、例えば、同時通訳を行う国際会議で使用されるモードであり、受信者により選択された音声言語コードに対応する音声コンテンツを選択するためのモードである。
【００６４】
但し、言語任意選択モードは、発言者が変更された場合、すなわち、例えば、選択された音声言語コードがＪＰ（日本語）であって、発言者が日本人から米国人に変更された場合に、受信者の操作をトリガとして、同時通訳者（英語から日本語への通訳者）に対応する音声コンテンツに切り換えるためのモードである。
【００６５】
音声種別選択モードは、言語別に主音声／副音声がある場合に適用され、例えば、日本語・英語別に主音声：通常音声、副音声：難聴者用の音声がある状況を想定したモードである。また、音声種別選択モードは、受信者により選択された音声種別に対応する音声コンテンツを選択するためのモードである。
【００６６】
図８は、送信装置１００に設定される各モードの組み合わせを説明する図である。同図において、音声多重モードおよび音声選択コマンド制御モードは、初期設定コマンドパケット１６０（図１参照）により送信装置１００に設定されるモードである。一方、全任意選択モード、言語自動選択モード、言語任意選択モードおよび音声種別選択モードは、音声選択コマンドパケット１７０（図１参照）により送信装置１００に設定されるモードである。
【００６７】
同図に示したように、音声多重モードかつ全任意選択モードの場合には、多重化音声コンテンツに含まれる各音声コンテンツを全て任意に選択できる。音声多重モードかつ言語自動選択モードの場合には、前述したように、受信側で予め設定した言語の音声コンテンツを自動的に切り換え再生可能である。
【００６８】
音声多重モードかつ言語任意選択モードの場合には、受信側で予め設定した言語の音声コンテンツを切り換え再生可能であり、不必要な音声コンテンツの選択が省かれるため受信者の操作回数が減るというメリットがある。
【００６９】
音声多重モードかつ音声種別選択モードの場合には、受信側で予め設定した音声種別の音声コンテンツを切り換え再生可能であり、不必要な音声コンテンツの選択が省かれるため受信者の操作回数が減るというメリットがある。
【００７０】
一方、音声選択コマンド制御モードかつ全任意選択モードの場合には、受信側で送信側の音声コンテンツを選択可能であり、伝送帯域が節約される。音声選択コマンド制御モードかつ言語自動選択モードの場合には、受信側で送信側の音声コンテンツを選択可能であり、前述したように、受信側で予め設定した言語の音声コンテンツを自動的に切り換え再生可能である。また、音声選択コマンド制御モードかつ全任意選択モードの場合には、伝送帯域を節約することができる。
【００７１】
音声選択コマンド制御モードかつ言語任意選択モードの場合には、受信側で送信側の音声コンテンツを選択可能であり、音声多重モードかつ言語任意選択モードの場合と同様である。また、音声選択コマンド制御モードかつ言語任意選択モードの場合には、伝送帯域を節約することができる。音声選択コマンド制御モードかつ音声種別選択モードの場合には、受信側で送信側の音声コンテンツを選択可能であり、音声多重モードかつ音声種別選択選択モードの場合と同様である。また、音声選択コマンド制御モードかつ音声種別選択モードの場合には、伝送帯域を節約することができる。
【００７２】
図９は、図１に示した音声コンテンツパケット１８０および多重化音声コンテンツパケット１９０の構成を示す図である。同図において、音声コンテンツパケット１８０および多重化音声コンテンツパケット１９０は、ヘッダ部およびデータ部から構成されている。ヘッダ部は、パケット種別、装置ＩＤ番号および音声コンテンツ番号から構成されている。パケット種別は、当該パケットの種別（音声コンテンツパケットまたは多重化音声コンテンツパケット）を表す。
【００７３】
装置ＩＤ番号は、受信装置１３０を識別するための識別子である。音声コンテンツ番号は、データ部に格納された音声コンテンツを識別するための番号である。なお、多重化音声コンテンツの場合、音声コンテンツ番号は、多重化された全ての音声コンテンツ番号とされる。データ部には、音声コンテンツ１１０0〜１１０3のうちいずれか一つの音声コンテンツまたは多重化音声コンテンツ１１０Ｍが格納される。
【００７４】
つぎに、一実施例の動作について、図１０〜図１２に示したフローチャートを参照しつつ説明する。図１０は、図１に示した送信装置１００におけるコマンド受信処理を説明するフローチャートである。図１１は、図１に示した送信装置１００におけるパケット送信処理を説明するフローチャートである。図１２は、図１に示した受信装置１３０におけるパケット受信処理を説明するフローチャートである。
【００７５】
図１０に示したステップＳＡ１では、送信装置１００の制御部１０１は、受信装置１３０より初期設定コマンドパケット１６０または音声選択コマンドパケット１７０を受信部１０２で受信したか否かを判断し、判断結果が「Ｎｏ」である場合、同判断を繰り返す。
【００７６】
図１２に示したステップＳＣ１では、受信装置１３０の制御部１３１は、コンテンツパケット（音声コンテンツパケット１８０または多重化音声コンテンツパケット１９０）を受信したか否かを判断し、受信しなかった場合、判断結果を「Ｎｏ」として、同判断を繰り返す。
【００７７】
また、図１１に示したステップＳＢ１では、送信装置１００の制御部１０１は、音声選択コマンド制御モードまたは音声多重モード（図５参照）のうち、現在の制御モードが音声選択コマンド制御モードに設定されているか否かを判断する。この場合、送信装置１００には、音声多重モードが設定されているものとする。
【００７８】
この場合、送信装置１００の制御部１０１は、ステップＳＢ１の判断結果「Ｎｏ」とする。ステップＳＢ５では、制御部１０１は、多重部１０４を起動させる。なお、音声多重モードでは、制御部１０１の制御により、切換部１０３は停止されている。
【００７９】
ステップＳＢ６では、多重部１０４は、制御部１０１の制御により、音声コンテンツ１１０0〜１１０3を多重化し、多重化音声コンテンツ１１０Ｍを生成し、送信部１０５へ出力する。ステップＳＢ７では、送信部１０５は、多重化音声コンテンツ１１０Ｍを多重化音声コンテンツパケット１９０として、インターネット１２０を介して、受信装置１３０へ送信する。
【００８０】
そして、多重化音声コンテンツパケット１９０が受信部１３４に受信されると、受信装置１３０の制御部１３１は、図１２に示したステップＳＣ１の判断結果を「Ｙｅｓ」とする。ステップＳＣ２では、制御部１３１は、多重化音声コンテンツパケット１９０に含まれる装置ＩＤ番号と、音声グループ情報データベース１４０に含まれる装置ＩＤ番号とが一致するか否かを判断し、一致する場合、判断結果を「Ｙｅｓ」とする。なお、ステップＳＣ２の判断結果が「Ｎｏ」である場合、ステップＳＣ５では、制御部１３１は、当該コンテンツパケットを破棄した後、ステップＳＣ１の判断を行う。
【００８１】
ステップＳＣ３では、制御部１３１は、多重化音声コンテンツパケット１９０に含まれる音声コンテンツ番号と、受信者選択状態情報データベース１５０に含まれる選択音声コンテンツ番号とが一致するか否かを判断し、この場合、判断結果を「Ｙｅｓ」とする。なお、ステップＳＣ３の判断結果が「Ｎｏ」である場合、制御部１３１は、ステップＳＣ５の処理を実行する。
【００８２】
ステップＳＣ４では、制御部１３１は、多重化音声コンテンツパケット１９０から多重化音声コンテンツ１１０Ｍを取得した後、この多重化音声コンテンツ１１０Ｍを音声コンテンツ１１０0〜１１０3に分割する。つぎに、制御部１３１は、分割された音声コンテンツ１１０0〜１１０3のうち、受信者が操作部１３２で予め選択した音声コンテンツ（例えば、音声コンテンツ１１０0）をスピーカ１３５へ出力する。これにより、スピーカ１３５では、音声コンテンツ１１０0が再生される。
【００８３】
ここで、受信者は、送信装置１００に設定されている制御モードを、音声多重モードから音声選択コマンド制御モードに切り換えるべく、操作部１３２を操作する。これにより、制御部１３１は、初期設定コマンドパケット１６０（図４参照：制御モードは音声選択コマンド制御モード）を生成し、これを送信部１３３に送信させる。
【００８４】
そして、初期設定コマンドパケット１６０が送信装置１００の受信部１０２に受信されると、送信装置１００の制御部１０１は、図１０に示したステップＳＡ１の判断結果を「Ｙｅｓ」とする。ステップＳＡ２では、送信装置１００の制御部１０１は、受信したパケットが初期設定コマンドパケットであるか否かを判断する。当該パケットが初期設定コマンドパケットである場合、初期設定コマンドパケット１６０が受信されたため、制御部１０１は、ステップＳＡ２の判断結果を「Ｙｅｓ」とする。ステップＳＡ３では、制御部１０１は、送信部１０５に対して、送信中のコンテンツパケット（音声コンテンツパケット１８０または多重化音声コンテンツパケット１９０）の送信を停止させる。
【００８５】
ステップＳＡ４では、制御部１０１は、初期設定コマンドパケット１６０に基づいて、音声選択コマンド制御モードの情報をメモリ（図示略）に格納し、音声選択コマンド制御モードを設定する。ステップＳＡ８では、制御部１０１は、コンテンツパケットの送信を再開した後、ステップＳＡ１の判断を行う。
【００８６】
つぎに、受信者は、送信装置１００に設定されている選択モードを、音声コンテンツ１１０0を選択するための全任意選択モードに設定すべく、操作部１３２を操作する。これにより、制御部１３１は、音声選択コマンドパケット１７０（図６参照：選択モードは全任意選択モード、音声コンテンツ番号は０）を生成し、これを送信部１３３に送信させる。また、操作部１３２は、上記音声コンテンツ番号（＝０）を受信者選択状態情報データベース１５０（図３参照）の選択音声コンテンツ番号に格納する。
【００８７】
そして、音声選択コマンドパケット１７０が送信装置１００の受信部１０２に受信されると、送信装置１００の制御部１０１は、図１０に示したステップＳＡ１の判断結果を「Ｙｅｓ」とする。ステップＳＡ２では、送信装置１００の制御部１０１は、受信したパケットが初期設定コマンドパケットであるか否かを判断する。当該パケットが初期設定コマンドパケットでない場合、音声選択コマンドパケット１７０が受信されたため、制御部１０１は、ステップＳＡ２の判断結果を「Ｎｏ」とする。ステップＳＡ５では、制御部１０１は、音声選択コマンド制御モードであるか否かを判断し、音声選択コマンド制御モードである場合、判断結果を「Ｙｅｓ」とする。なお、ステップＳＡ５の判断結果が「Ｎｏ」である場合、制御部１０１は、ステップＳＡ１の判断を行う。
【００８８】
ステップＳＡ６は、制御部１０１は、送信部１０５に対して、送信中のコンテンツパケット（音声コンテンツパケット１８０または多重化音声コンテンツパケット１９０）の送信を停止させる。
【００８９】
ステップＳＡ７では、制御部１０１は、音声選択コマンドパケット１７０に基づいて、選択モード（＝全任意選択モード）および音声コンテンツ番号（＝０）の情報をメモリ（図示略）に格納し、これを設定した後、上述したステップＳＡ８の処理を実行し、ステップＳＡ１の判断を行う。
【００９０】
また、制御モードとして、音声選択コマンド制御モードが設定されると、制御部１０１は、図１１に示したステップＳＢ１の判断結果を「Ｙｅｓ」とする。ステップＳＢ２では、制御部１０１は、切換部１０３を起動させる。なお、音声選択コマンド制御モードでは、制御部１０１の制御により、多重部１０４は停止されている。
【００９１】
ステップＳＢ３では、切換部１０３は、制御部１０１の制御により、音声選択コマンドパケット１７０に基づいて、音声コンテンツ１１０0〜１１０3から音声コンテンツ１１０0を選択し、これを送信部１０５へ出力する。ステップＳＢ４では、送信部１０５は、音声コンテンツ１１０0を音声コンテンツパケット１８０として、インターネット１２０を介して、受信装置１３０へ送信する。
【００９２】
そして、音声コンテンツパケット１８０が受信部１３４に受信されると、受信装置１３０の制御部１３１は、図１２に示したステップＳＣ１の判断結果を「Ｙｅｓ」とする。ステップＳＣ２では、制御部１３１は、音声コンテンツパケット１８０に含まれる装置ＩＤ番号と、音声グループ情報データベース１４０に含まれる装置ＩＤ番号とが一致するか否かを判断し、この場合、判断結果を「Ｙｅｓ」とする。
【００９３】
ステップＳＣ３では、制御部１３１は、音声コンテンツパケット１８０に含まれる音声コンテンツ番号と、受信者選択状態情報データベース１５０に含まれる選択音声コンテンツ番号とが一致するか否かを判断し、この場合、判断結果を「Ｙｅｓ」とする。ステップＳＣ４では、制御部１３１は、音声コンテンツパケット１８０から音声コンテンツ１１０0を取得した後、この音声コンテンツ１１０0をスピーカ１３５へ出力する。これにより、スピーカ１３５では、音声コンテンツ１１０0が再生される。
【００９４】
つぎに、図１３および図１４を参照して、一実施例にかかるコンテンツ配信システムの具体的な適用例について説明する。はじめに、図１３および図１４を参照して、同時通訳を行う国際会議（音声コンテンツの配信先は全て日本語のみ通じる）への適用例について説明する。これらの図において、図１の各部に対応する部分には同一の符号を付ける。但し、受信装置１３０1〜１３０3は、受信装置１３０（図１参照）と同一構成とされており、インターネット（図示略）を介して、送信装置１００とアクセス可能とされている。
【００９５】
送信装置１００は、東京本社に設置されており、国際会議に参加する日本人の発言者、米国人の発言者、同時通訳者の各音声に対応する音声コンテンツ１１０0〜１１０3を有している。受信装置１３０1〜１３０3は、各支点（大阪、名古屋、福岡）に設けられており、日本人の受信者により操作される。
【００９６】
図１３において、受信装置１３０1〜１３０3からは、初期設定コマンドパケット１６０（音声選択コマンド制御モード）および音声選択コマンドパケット１７０（言語任意選択モード、音声コンテンツ番号０）が送信装置１００へ送信される。これにより、送信装置１００には、初期設定コマンドパケット１６０および音声選択コマンドパケット１７０に対応する制御モードおよび選択モードが設定される。
【００９７】
送信装置１００からは、音声コンテンツ番号０に対応する音声コンテンツ１１０0（日本人発言）に対応する音声コンテンツパケット１８０として、受信装置１３０1〜１３０3へそれぞれ送信される。これにより、受信装置１３０1〜１３０3では、音声コンテンツ１１０0（日本人発言）が再生される。
【００９８】
そして、東京本社における発言者が日本人から米国人に変更されると、図１４に示したように、受信装置１３０1〜１３０3からは、音声選択コマンドパケット１７０（言語任意選択モード、音声コンテンツ番号３）が送信装置１００へ送信される。これにより、送信装置１００には、音声選択コマンドパケット１７０に対応する音声コンテンツ番号３が設定される。
【００９９】
送信装置１００からは、音声コンテンツ番号３に対応する音声コンテンツ１１０3（米国人の同時通訳（日本語））に対応する音声コンテンツパケット１８０として、受信装置１３０1〜１３０3へそれぞれ送信される。これにより、受信装置１３０1〜１３０3では、音声コンテンツ１１０3（英語が同時通訳された日本語）が再生される。
【０１００】
以上説明したように、一実施例によれば、受信装置１３０で、複数の音声コンテンツ１１０0〜１１０3の中から受信者が受信を所望する音声コンテンツを選択するための初期設定コマンドパケット１６０および音声選択コマンドパケット１７０を送信し、送信装置１００で、これらの初期設定コマンドパケット１６０および音声選択コマンドパケット１７０に基づいて、複数の音声コンテンツ１１０0〜１１０3の中から、受信者が所望する音声コンテンツ１１０0を選択し、該音声コンテンツ１１０0を音声コンテンツパケット１８０として受信装置１３０へ送信することとしたので、従来のように多重化音声コンテンツを送信する場合に比して、ネットワーク負荷を軽減しつつ受信側でコンテンツの選択を行うことができる。
【０１０１】
以上本発明にかかる一実施例について図面を参照して詳述してきたが、具体的な構成例はこの一実施例に限られるものではなく、本発明の要旨を逸脱しない範囲の設計変更等があっても本発明に含まれる。
【０１０２】
例えば、前述した一実施例においては、送信装置１００や受信装置１３０の機能を実現するためのプログラムを図１５に示したコンピュータ読み取り可能な記録媒体３００に記録して、この記録媒体３００に記録されたプログラムを同図に示したコンピュータ２００に読み込ませ、実行することにより各機能を実現してもよい。
【０１０３】
同図に示したコンピュータ２００は、上記プログラムを実行するＣＰＵ（Central Processing Unit）２１０と、キーボード、マウス等の入力装置２２０と、各種データを記憶するＲＯＭ（Read Only Memory）２３０と、演算パラメータ等を記憶するＲＡＭ（Random Access Memory）２４０と、記録媒体３００からプログラムを読み取る読取装置２５０と、ディスプレイ、プリンタ等の出力装置２６０とから構成されている。
【０１０４】
ＣＰＵ２１０は、読取装置２５０を経由して記録媒体３００に記録されているプログラムを読み込んだ後、プログラムを実行することにより、前述した機能を実現する。なお、記録媒体３００としては、光ディスク、フレキシブルディスク、ハードディスク等が挙げられる。
【０１０５】
また、一実施例においては、図１や図１３に示したように、音声コンテンツとして日本語に対応する音声コンテンツ１１０0と、同時通訳（日本語→英語）に対応する音声コンテンツ１１０1とを音声グループとした例について説明したが、これに限られることなく、その他の組み合わせで音声グループとしてもよい。
【０１０６】
例えば、技術職と営業職との電子会議において、営業職（または技術職）の発言に対応する音声コンテンツと、解説者により該発言を解説した音声に対応する音声コンテンツとを音声グループとしてもよい。
【０１０７】
また、日本人と米国人との国際会議において、日本人（または米国人）の発言に対応する音声コンテンツと、日本語初学者用（または英語初学者用）に、周知の音声加工技術により、該発言のスピードを遅くした発言に対応する音声コンテンツとを音声グループとしてもよい。
【０１０８】
また、一実施例においては、配信対象を音声コンテンツとした例について説明したが、その他のコンテンツ（映像コンテンツ、画像コンテンツ、マルチメディアコンテンツ、プログラムコンテンツ等）を配信対象としてもよい。
【産業上の利用可能性】
【０１０９】
以上のように、本発明にかかるコンテンツ配信システム、受信装置、送信装置、受信方法、送信方法、受信プログラムおよび送信プログラムは、電子会議等に対して有用である。
【図面の簡単な説明】
【０１１０】
【図１】本発明にかかる一実施例によるコンテンツ配信システムの構成を示すブロック図である。
【図２】図１に示した音声グループ情報データベース１４０の構成を示す図である。
【図３】図１に示した受信者選択状態情報データベース１５０の構成を示す図である。
【図４】図１に示した初期設定コマンドパケット１６０のパラメータを説明する図である。
【図５】図４に示した音声多重モードおよび音声選択コマンド制御モードを説明する図である。
【図６】図１に示した音声選択コマンドパケット１７０のパラメータを説明する図である。
【図７】図６に示した全任意選択モード、言語自動選択モードおよび言語任意選択モード、言語種別選択モードを説明する図である。
【図８】各モードの組み合わせを説明する図である。
【図９】図１に示した音声コンテンツパケット１８０および多重化音声コンテンツパケット１９０の構成を示す図である。
【図１０】図１に示した送信装置１００におけるコマンド受信処理を説明するフローチャートである。
【図１１】図１に示した送信装置１００におけるパケット送信処理を説明するフローチャートである。
【図１２】図１に示した受信装置１３０におけるパケット受信処理を説明するフローチャートである。
【図１３】同一実施例にかかるコンテンツ配信システムの具体的な適用例を示すブロック図である。
【図１４】同一実施例にかかるコンテンツ配信システムの具体的な適用例を示すブロック図である。
【図１５】同一実施例の変形例の構成を示すブロック図である。
【図１６】従来のコンテンツ配信システムの構成例１を示すブロック図である。
【図１７】従来のコンテンツ配信システムの構成例２を示すブロック図である。
【符号の説明】
【０１１１】
１００  送信装置
１０１  制御部
１０２  受信部
１０３  切換部
１０４  多重部
１０５  送信部
１３０  受信装置
１３１  制御部
１３２  操作部
１３３  送信部
１３４  受信部
１３５  スピーカ 
【図１】
2006074174.tif 000003
【図２】
2006074174.tif 000004
【図３】
2006074174.tif 000005
【図４】
2006074174.tif 000006
【図５】
2006074174.tif 000007
【図６】
2006074174.tif 000008
【図７】
2006074174.tif 000009
【図８】
2006074174.tif 000010
【図９】
2006074174.tif 000011
【図１０】
2006074174.tif 000012
【図１１】
2006074174.tif 000013
【図１２】
2006074174.tif 000014
【図１３】
2006074174.tif 000015
【図１４】
2006074174.tif 000016
【図１５】
2006074174.tif 000017
【図１６】
2006074174.tif 000018
【図１７】
2006074174.tif 000019